(57)【要約】【課題】異なる周波数帯域で放送（送信）される信号の受信機能に係る構成の共有化を更に進めることにより、当該受信機能に係る回路レイアウト面積を更に縮小する。【解決手段】第１周波数帯域の第１信号を受信する第１受信部と、第１周波数帯域とは異なる第２周波数帯域の第２信号を受信する第２受信部と、を備え、受信信号から特定チャンネルの信号を中間周波信号として抽出するための構成であって、前記受信信号から前記中間周波信号が抽出されるまでの信号パスの構成要素の少なくとも一部を、前記第１信号に係る前記信号パスと前記第２信号に係る前記信号パスとで共有化した、受信装置。【選択図】図１
2015167324.tif 000002
【特許請求の範囲】
【請求項１】
第１周波数帯域の第１信号を受信する第１受信部と、
第１周波数帯域とは異なる第２周波数帯域の第２信号を受信する第２受信部と、
を備え、
受信信号から特定チャンネルの信号を中間周波信号として抽出するための構成であって、前記受信信号から前記中間周波信号が抽出されるまでの信号パスの構成要素の少なくとも一部を、前記第１信号に係る前記信号パスと前記第２信号に係る前記信号パスとで共有化した、受信装置。
【請求項２】
共有化する前記構成要素は、局部発振周波数信号を前記第１の信号又は前記第２の信号と混合して中間周波信号を生成する混合器である、請求項１に記載の受信装置。
【請求項３】
前記混合器は、ハーモニックリジェクション構成であり、
局部発振器は、前記第１信号の処理時と前記第２信号の処理時とで位相のズレ量が異なる局部発振周波数信号を前記混合器へ入力する、請求項２に記載の受信装置。
【請求項４】
前記第１信号は、地上波テレビ放送信号であり、
前記第２信号は、衛星テレビ放送信号であり、
前記局部発振器は、前記第１信号の処理時は４５°ずつ位相をずらして生成された局部発振周波数信号を前記混合器へ入力し、前記第２信号の処理時は９０°ずつ位相をずらして生成された生成された局部発振周波数信号を前記混合器へ入力する、請求項３に記載の受信装置。
【請求項５】
共有化する前記構成要素は、前記中間周波信号の前記第１の周波数帯域又は前記第２の周波数帯域に対応する周波数の信号を選択的に通過させるフィルタである、請求項１に記載の受信装置。
【請求項６】
前記フィルタは、ローパスフィルタ構成とバンドパスフィルタ構成とを切り替えて実現可能である、請求項５に記載の受信装置。
【請求項７】
前記第１信号は、地上波テレビ放送信号であり、
前記第２信号は、衛星テレビ放送信号であり、
前記フィルタは、前記第１信号の処理時はバンドパスフィルタを実現し、前記第２信号の処理時はローパスフィルタを実現する、請求項５に記載の受信装置。
【請求項８】
前記フィルタは、Ｉ信号が入力される第１のローパスフィルタおよびＱ信号が入力される第２のローパスフィルタを有し、前記第１信号の処理時は、前記第１のローパスフィルタを通過後のＩ信号を前記第２のローパスフィルタへ入力するとともに前記第２のローパスフィルタを通過後のＱ信号を前記第１のローパスフィルタへ入力する複素フィルタである、請求項５に記載の受信装置。
【請求項９】
前記第１のローパスフィルタおよび前記第２のローパスフィルタは、演算増幅器の帰還路に可変容量を配設した構成である、請求項８に記載の受信装置。
【請求項１０】
第１周波数帯域の第１信号を受信する第１受信部と、
第１周波数帯域とは異なる第２周波数帯域の第２信号を受信する第２受信部と、
を備え、
受信信号から特定チャンネルの信号を中間周波信号として抽出するための構成であって、前記受信信号から前記中間周波信号が抽出されるまでの信号パスの構成要素の少なくとも一部を、前記第１信号に係る前記信号パスと前記第２信号に係る前記信号パスとで共有化した、チューナー。
【請求項１１】
第１周波数帯域の第１信号を受信する第１受信部と、
第１周波数帯域とは異なる第２周波数帯域の第２信号を受信する第２受信部と、
を備え、
受信信号から特定チャンネルの信号を中間周波信号として抽出するための構成であって、前記受信信号から前記中間周波信号が抽出されるまでの信号パスの構成要素の少なくとも一部を、前記第１信号に係る前記信号パスと前記第２信号に係る前記信号パスとで共有化した、回路。
【発明の詳細な説明】
【技術分野】
【０００１】
本技術は、受信装置、チューナーおよび回路に関する。
【背景技術】
【０００２】
例えば、地上波テレビ放送と衛星テレビ放送のように、異なる周波数帯域で放送（送信）される信号の受信機能を１つのＩＣ内に設ける場合、各受信機能を別々に実現すると、レイアウト面積の増大を招くことになる。
【０００３】
このような実情に鑑みて、特許文献１には、位相同期回路と電圧制御発振器を、地上波テレビ放送の受信機能と衛星テレビ放送の受信機能とで共有化して、ＩＣのレイアウト面積を縮小する技術が開示されている。
【先行技術文献】
【特許文献】
【０００４】
【特許文献１】特開２０１３−２３６１９６号公報
【発明の概要】
【発明が解決しようとする課題】
【０００５】
上述した特許文献１においては、局部発振回路が発振可能な周波数範囲を拡張することにより局部発振回路ブロックを共有化する可能性が指摘されている。しかしながら、局部発振回路ブロック以外の、例えば受信信号の信号経路については、地上波テレビ放送と衛星テレビ放送とで仕様が大きく異なるため、地上波テレビ放送と衛星テレビ放送とで共有化することが難しかった。
【０００６】
本技術は、前記課題に鑑みてなされたもので、異なる周波数帯域で放送（送信）される信号の受信機能に係る構成の共有化を更に進めることにより、当該受信機能に係る回路レイアウト面積を更に縮小する可能性について提案するものである。
【課題を解決するための手段】
【０００７】
本技術の態様の１つは、第１周波数帯域の第１信号を受信する第１受信部と、第１周波数帯域とは異なる第２周波数帯域の第２信号を受信する第２受信部と、を備え、受信信号から特定チャンネルの信号を中間周波信号として抽出するための構成であって、前記受信信号から前記中間周波信号が抽出されるまでの信号パスの構成要素の少なくとも一部を、前記第１信号に係る前記信号パスと前記第２信号に係る前記信号パスとで共有化した、受信装置である。
【０００８】
本技術の態様の１つは、第１周波数帯域の第１信号を受信する第１受信部と、第１周波数帯域とは異なる第２周波数帯域の第２信号を受信する第２受信部と、を備え、受信信号から特定チャンネルの信号を中間周波信号として抽出するための構成であって、前記受信信号から前記中間周波信号が抽出されるまでの信号パスの構成要素の少なくとも一部を、前記第１信号に係る前記信号パスと前記第２信号に係る前記信号パスとで共有化した、チューナーである。
【０００９】
本技術の態様の１つは、第１周波数帯域の第１信号を受信する第１受信部と、第１周波数帯域とは異なる第２周波数帯域の第２信号を受信する第２受信部と、を備え、受信信号から特定チャンネルの信号を中間周波信号として抽出するための構成であって、前記受信信号から前記中間周波信号が抽出されるまでの信号パスの構成要素の少なくとも一部を、前記第１信号に係る前記信号パスと前記第２信号に係る前記信号パスとで共有化した、回路である。
【００１０】
以上説明した受信装置、チューナーおよび回路は、他の機器に組み込まれた状態で実施されたり他の方法とともに実施されたりする等の各種の態様を含む。また、本技術は前記受信装置、チューナーおよび回路を備えるシステム、上述した装置の構成に対応した工程を有する駆動方法、上述した装置の構成に対応した機能をコンピュータに実現させるプログラム、該プログラムを記録したコンピュータ読み取り可能な記録媒体、等としても実現可能である。
【発明の効果】
【００１１】
本技術によれば、異なる周波数帯域で放送（送信）される信号の受信機能に係る構成の共有化が更に進むため、当該受信機能に係る回路レイアウト面積を更に縮小することができる。なお、本明細書に記載された効果はあくまで例示であって限定されるものでは無く、また付加的な効果があってもよい。
【図面の簡単な説明】
【００１２】
【図１】チューナーの機能構成の一例を示すブロック図である。
【図２】混合器の構成の一例を示す図である。
【図３】地上波テレビ放送受信時のｇｍ合成ベクトルを説明する図である。
【図４】混合器の他の構成例を示す図である。
【図５】衛星テレビ放送受信時のｇｍ合成ベクトルを説明する図である。
【図６】フィルタの構成の一例を示す図である。
【図７】フィルタの具体的な構成を示す図である。
【図８】可変容量の構成の一例である。
【図９】フィルタの周波数特性を示す図である。
【図１０】フィルタの他の具体的な構成例を示す図である。
【発明を実施するための形態】
【００１３】
以下、図面を参照しつつ本技術を説明する。
【００１４】
［全体の概略構成］ 
図１は、本実施形態に係るチューナーの機能構成の一例を示すブロック図である。なお、本実施形態に係るチューナーは、モジュールとして実現されたり、受信装置の一部として実現されたりする等、各種の態様にて実現することができる。
【００１５】
例えば、本実施形態に係るチューナーは、地上波テレビ放送および衛星テレビ放送を受信して放送信号を再生可能な各種の装置（テレビジョン、ビデオレコーダー、セットトップボックス等）として実現される。むろん、本実施形態に係るチューナーは、２系統のシステムからの受信を前提とし、ローパスフィルタとバンドパスフィルタの切り替えが必要なものであればテレビ放送の受信用に限るものではない。
【００１６】
以下では、チューナー１００は、地上波テレビ放送を受信するための第１受信部１０と、衛星テレビ放送を受信するための第２受信部２０と、が集積回路として１つのチップ（ＩＣ：Integrated Circuit）に設けられたものを想定して説明する。なお、本実施形態では、地上波テレビ放送信号が第１の周波数帯域の第１の信号を構成し、衛星テレビ放送信号が第２の周波数帯域の第２の信号を構成する。
【００１７】
［全体構成］ 
チューナー１００は、第１の入力端子Ｔ１１へ第１信号としての地上波テレビ放送の第１高周波信号Ｓ１１（第１ＲＦ信号Ｓ１１）を入力され、第１の出力端子Ｔ１２から第１受信部１０が生成する第１中間周波信号Ｓ１２（第１ＩＦ信号Ｓ１２）を出力する。
【００１８】
また、チューナー１００は、第２の入力端子Ｔ２１へ第２信号としての衛星テレビ放送の第２高周波信号Ｓ２１（第２ＲＦ信号Ｓ２１）を入力され、第２の出力端子Ｔ２２から第２受信部２０が生成する第２中間周波信号Ｓ２２（第２ＩＦ信号Ｓ２２）を出力する。
【００１９】
チューナー１００は、第１受信部１０と第２受信部２０に加えて、基準発振信号Ｓ１００を生成する基準発振信号生成部３０、基準発振信号Ｓ１００を元に位相の異なる８組の局部発振周波数信号Ｓ１１１〜Ｓ１１８を生成する局部発振器としての第１ローカル発振信号生成部４０（第１ＬＯ信号生成部４０）、基準発振信号Ｓ１００を元に位相の異なる４組の局部発振周波数信号Ｓ１２１〜Ｓ１２４を生成する局部発振器としての第２ローカル発振信号生成部５０（第２ＬＯ信号生成部５０）、および、チューナー１００の動作を制御する制御部６０、を備える。
【００２０】
第１ＬＯ信号生成部４０は、例えば、第１の分周回路で基準発振信号Ｓ１００を受信周波数に合うように分周を行った後、更に第２の分周回路で４分周することにより、４５°ずつ位相がずれた８相の局部発振周波数信号Ｓ１１１〜Ｓ１１８（ＬＯ信号Ｓ１１１〜Ｓ１１８）を生成する。
【００２１】
一方、第２ＬＯ信号生成部５０は、例えば、第３の分周回路で基準発振信号Ｓ１００を受信周波数に合うように分周を行った後、更に第４の分周回路で２分周することにより、９０°ずつ位相がずれた４相の局部発振周波数信号Ｓ１２１〜Ｓ１２４（ＬＯ信号Ｓ１２１〜Ｓ１２４）を生成する。なお、第１ＬＯ信号生成部４０の第１の分周器と第２ＬＯ信号生成部５０の第３の分周器は共通化してもよい。
【００２２】
第１ＬＯ信号生成部４０は、地上波テレビ放送周波数帯の４２ＭＨｚ〜１００２ＭＨｚの範囲内でＬＯ信号Ｓ１１１〜Ｓ１１８）を生成し、第２ＬＯ信号生成部５０は、衛生テレビ放送周波数帯の９５０ＭＨｚ〜２１５０ＭＨｚの範囲内でＬＯ信号Ｓ１２１〜Ｓ１２４を生成する。
【００２３】
なお、図１には、地上波テレビ放送用の基準発振信号を生成する基準発振信号生成部と衛星テレビ放送用の基準発振信号を生成する基準発振信号生成部とを、基準発振信号生成部３０として共有化した例を示してあるが、これら基準発振信号生成部は地上テレビ放送用と衛星テレビ放送用途で別個に設けてもよい。
【００２４】
［第１受信部］ 
第１受信部１０は、第１ＲＦ信号Ｓ１１を低ノイズで増幅する第１ローノイズアンプ１１、第１ＲＦ信号Ｓ１１を増幅又は減衰する第１ＲＦ可変増幅器１２、第１ＬＯ信号生成部４０から入力されるＬＯ信号Ｓ１１１〜Ｓ１１８と第１ＲＦ信号Ｓ１１とを混合して特定チャンネルのＲＦ信号だけを増幅した第１ＩＦ信号Ｓ１２を生成する第１混合器７０ａ（不図示）、第１ＩＦ信号Ｓ１２から不要なチャンネルの信号を取り除く第１フィルタ８０ａ（不図示）、第１ＩＦ信号Ｓ１２を増幅する第１ＩＦ可変増幅器１３、を有する。
【００２５】
［第２受信部］ 
第２受信部２０は、第２ＲＦ信号Ｓ１２を低ノイズで増幅する第２ローノイズアンプ２１、第２ＲＦ信号Ｓ１２を増幅又は減衰する第２ＲＦ可変増幅器２２、第２ＬＯ信号生成部５０から入力されるＬＯ信号Ｓ１２１〜Ｓ１２４と第２ＲＦ信号Ｓ１２とを混合して特定チャンネルのＲＦ信号だけを増幅した第２ＩＦ信号Ｓ２２を生成する第２混合器７０ｂ（不図示）、第２ＩＦ信号Ｓ２２から不要なチャンネルの信号を取り除く第２フィルタ８０ｂ（不図示）、第２ＩＦ信号Ｓ２２を増幅する第２ＩＦ可変増幅器２３、を有する。
【００２６】
［構成の共有化］ 
ここで、本実施形態では、第１混合器７０ａ（不図示）と第２混合器７０ｂ（不図示）とは１つの混合器７０として共有化された状態で実現され、第１フィルタ８０ａ（不図示）と第２フィルタ８０ｂ（不図示）とは１つのフィルタ８０として共有化された状態で実現されている。
【００２７】
すなわち、第１ＲＦ信号Ｓ１１の特定チャンネルの信号を第１ＩＦ信号Ｓ１２として出力するための構成であって、第１ＲＦ信号Ｓ１１から第１ＩＦ信号Ｓ１２が抽出されるまでの信号パスの構成要素の少なくとも一部と、第２ＲＦ信号Ｓ２１の特定チャンネルの信号を第２ＩＦ信号Ｓ２２として出力するための構成であって第２ＲＦ信号Ｓ２１から第２ＩＦ信号Ｓ２２が抽出されるまでの信号パスの構成要素の少なくとも一部と、が共有化されている。
【００２８】
このため、異なる周波数帯域で放送（送信）される信号の受信機能に係る構成の共有化が従来に比べて進むこととなり、当該受信機能に係る回路レイアウト面積を縮小することができる。
【００２９】
［混合器］ 
図２は、混合器７０の構成の一例を示す図である。本実施形態に係る混合器７０は、いわゆるハーモニックリジェクション構成を有し、局部発振周波数信号が含む第３次高調波や第５次高調波の影響が混合器７０の出力から取り除かれるようになっている。
【００３０】
なお、同図では、図面を簡略化するためＩＱ表記および差動の表記を省略し、例えばＩ信号の正側差動信号の混合器を代表して示してある。従って、Ｉ信号の負側差動信号の混合器へ入力するＬＯ信号の位相は図２とは１８０°相違し、Ｑ信号の正側差動信号の混合器へ入力するＬＯ信号の位相は図２とは９０°相違し、Ｑ信号の負側差動信号の混合器へ入力するＬＯ信号の位相はＱ信号の正側差動信号の混合器へ入力するＬＯ信号の位相と１８０°相違する。
【００３１】
混合器７０は、電圧電流変換回路７１〜７３、スイッチ回路７４〜７６、および、電流電圧変換回路７７を有する。
【００３２】
［電圧電流変換回路］ 
電圧電流変換回路７１〜７３は、例えばトランスコンダクタンスアンプで構成され、第１ＲＦ信号Ｓ１１又は第２ＲＦ信号Ｓ２１を入力とし、入力されたＲＦ信号の電圧値を所定増幅率で増幅した電流値を出力する。
【００３３】
各電圧電流変換回路の増幅率は、ＬＯ信号を正弦波に近づけるため、電圧電流変換回路７１の増幅率を１倍、電圧電流変換回路７２の増幅率を０．７倍、電圧電流変換回路７３の増幅率を０．７倍としてある。なお、増幅率や位相に関して本明細書中で出てくる「０．７」はルート２の逆数の近似値として示している。
【００３４】
［スイッチ回路］ 
スイッチ回路７４は増幅率が１倍の電圧電流変換回路７１から電流電圧変換回路７７への電流出力のオン／オフを制御し、スイッチ回路７５は増幅率が０．７倍の電圧電流変換回路７２から電流電圧変換回路７７への電流出力のオン／オフを制御し、スイッチ回路７６は増幅率が０．７倍の電圧電流変換回路７３から電流電圧変換回路７７への電流出力のオン／オフを制御する。
【００３５】
地上波テレビ放送の受信時には、スイッチ回路７４は位相が０°のＬＯ信号ＩＮ１によってオン／オフを制御され、スイッチ回路７５は位相が−４５°のＬＯ信号ＩＮ２によってオン／オフを制御され、スイッチ回路７６は位相が＋４５°のＬＯ信号によってオン／オフを制御される。
【００３６】
なお、これらＬＯ信号の位相の組み合わせをＩ信号の正側差動信号の検波用とすると、その他の信号の検波用のＬＯ信号ＩＮ１，ＩＮ２，ＩＮ３の位相は、Ｉ信号の負側差動信号の検波用の場合には１８０°，１３５°，−１３５°となり、Ｑ信号の正側差動信号の検波用の場合には９０°，４５°，１３５°となり、Ｑ信号の負側差動信号の検波用の場合には２７０°，−４５°，−１３５°となる。
【００３７】
衛星テレビ放送の受信時には、スイッチ回路７４は信号位相が０°のＬＯ信号によってオン／オフを制御されるが、スイッチ回路７５とスイッチ回路７６はＬＯ信号が入力されないため常時オフになる。
【００３８】
［電流電圧変換回路］ 
電流電圧変換回路７７は、例えばフィードバック抵抗を用いたオペアンプ回路で構成されており、スイッチ回路７４〜７６を介して電圧電流変換回路７１〜７３から入力される電流の合成ベクトルが入力され、入力された電流に応じた電圧を出力する。電流電圧変換回路７７の出力電圧は、チューナー１００の出力として不図示の後段の復調回路へ出力される。
【００３９】
［地上波受信時のｇｍ合成ベクトル］
図３は、以上のように構成された混合器７０の、地上波テレビ放送受信時のｇｍ合成ベクトルを説明する図である。
【００４０】
図３（ａ）に示す基本波のｇｍ合成ベクトルは、電圧電流変換回路７２からの出力（位相が＋４５°）と電圧電流変換回路７３からの出力（位相が−４５°）との間で、電圧電流変換回路７１からの出力（位相が０°）との直交成分が互いに打ち消し合い、電圧電流変換回路７１からの出力（位相が０°）との同相成分が、電圧電流変換回路７１からの出力（位相が０°）に加算される。このため、混合器７０全体としてはｇｍが２倍になる。
【００４１】
図３（ｂ）に示す３次高調波のｇｍ合成ベクトルは、電圧電流変換回路７２からの出力（位相が＋１３５°）と電圧電流変換回路７３からの出力（位相が−１３５°）との間で電圧電流変換回路７１からの出力（位相が０°）との直交成分が互いに打ち消し合い、電圧電流変換回路７１からの出力（位相が０°）との同相成分が、電圧電流変換回路７１からの出力（位相が０°）から減算される。このため、混合器７０全体としてはｇｍが０になる。すなわち３次高調波はキャンセルされる。
【００４２】
図３（ｃ）に示す５次高調波のｇｍ合成ベクトルは、電圧電流変換回路７２からの出力（位相が＋２２５°（＝−４５°））と電圧電流変換回路７３からの出力（位相が−２２５°（＝４５°））との間で、電圧電流変換回路７１からの出力（位相が０°）との直交成分が互いに打ち消し合い、電圧電流変換回路７１からの出力（位相が０°）との同相成分が電圧電流変換回路７１からの出力（位相が０°）から減算される。このため、混合器７０全体としてはｇｍが０になる。すなわち５次高調波はキャンセルされる。
【００４３】
［衛星受信時のｇｍ合成ベクトル］
一方、衛星テレビ放送受信時は、スイッチ回路７５，７６がオフであるため、電圧電流変換回路７２，７３の出力は電流電圧変換回路７７へ出力されない。このため、混合器７０は、通常の４相（０°、９０°、−９０°、１８０°）のＬＯ信号のみで作動する。これにより、衛星テレビ放送受信時は、基準発振信号生成部３０の周波数を２倍にする必要が無く、電力削減が可能となる。
【００４４】
［混合器の他の構成例］ 
図４は、混合器７０の他の構成例を示す図である。同図に示す混合器７０は、上述した図３と回路構成は同様であるが、スイッチ回路７４〜７６のオンオフを制御するＬＯ信号の構成が相違する。
【００４５】
［スイッチ回路］ 
同図に示す混合器７０では、地上波テレビ放送の受信時には、スイッチ回路７４は信号位相が０°のＬＯ信号ＩＮ１によってオン／オフを制御され、スイッチ回路７５は信号位相が−４５°のＬＯ信号ＩＮ２によってオン／オフを制御され、スイッチ回路７６は信号位相が＋４５°のＬＯ信号ＩＮ３によってオン／オフを制御される。
【００４６】
なお、これらＬＯ信号の位相の組み合わせをＩ信号の正側差動信号の検波用とすると、その他の信号の検波用のＬＯ信号ＩＮ１，ＩＮ２，ＩＮ３の位相は、Ｉ信号の負側差動信号の検波用の場合には１８０°，＋１３５°，−１３５°となり、Ｑ信号のＰ差動信号の検波用の場合には９０°，４５°，１３５°となり、Ｑ信号のＮ差動信号の検波用の場合には２７０°，−４５°，−１３５°となる。
【００４７】
また、衛星テレビ放送の受信時には、スイッチ回路７４は信号位相が０°のＬＯ信号ＩＮ１によってオン／オフを制御され、スイッチ回路７５は信号位相が−９０°のＬＯ信号ＩＮ２によってオン／オフを制御され、スイッチ回路７６は信号位相が０°のＬＯ信号ＩＮ３によってオン／オフが制御される。
【００４８】
なお、これらＬＯ信号の位相の組み合わせをＩ信号の正側差動信号の検波用とすると、その他の信号の検波用のＬＯ信号ＩＮ１，ＩＮ２，ＩＮ３の位相は、Ｉ信号の負側差動信号の検波用の場合には１８０°，＋９０°，１８０°となり、Ｑ信号のＰ差動信号の検波用の場合には９０°，０°，９０°となり、Ｑ信号のＮ差動信号の検波用の場合には−９０°，１８０°，＋９０°となる。
【００４９】
すなわち、衛星テレビ放送の受信時にも、電圧電流変換回路７２，７３の出力を電流電圧変換回路７７へ入力させるスイッチング動作をオフにせず、ハーモニックリジェクション構成とする。具体的には、９０°ずつずれた位相関係で生成されたＬＯ信号をスイッチ回路７５，７６にも入力する。
【００５０】
［衛星受信時のｇｍ合成ベクトル］ 
これにより、衛星テレビ放送受信時のｇｍ合成ベクトルは図５のようになる。なお、地上波テレビ放送の受信時のｇｍ合成ベクトルは上述した図３に示す混合器７０と同様である。
【００５１】
図５（ａ）に示す基本波のｇｍ合成ベクトルは、電圧電流変換回路７１からの出力（位相が０°）に、これと同相の電圧電流変換回路７３からの出力（位相が０°）が加算され、電圧電流変換回路７２からの出力（位相が−９０°）がこれらとの直交成分となる。このとき、混合器７０全体としてはｇｍが１．８５倍となり、上述したハーモニックリジェクション構成の場合の２倍より劣るものの電圧ゲインで−１ｄＢ程度の劣化であり、ノイズ特性への影響は軽微である。
【００５２】
図５（ｂ）に示す３次高調波のｇｍ合成ベクトルは、電圧電流変換回路７１からの出力（位相が０°）に、これと同相の電圧電流変換回路７３からの出力（位相が０°）が加算され、電圧電流変換回路７２からの出力（位相が−２７０°（＝＋９０°））がこれらとの直交成分となる。すなわち、３次高調波がキャンセルされずに残ってしまうが、衛星テレビ放送受信時は奇数次高調波の影響を受けないため、ノイズ特性への影響は無い。
【００５３】
図５（ｃ）に示す５次高調波のｇｍ合成ベクトルは、電圧電流変換回路７１からの出力（位相が０°）に、これと同相の電圧電流変換回路７３からの出力（位相が０°）が加算され、電圧電流変換回路７２からの出力（位相が−４５０°（＝−９０°））がこれらとの直交成分となる。すなわち、３次高調波がキャンセルされずに残ってしまうが、衛星テレビ放送受信時は奇数次高調波の影響を受けないため、ノイズ特性への影響は無い。
【００５４】
［まとめ］ 
以上説明したように、地上波テレビ放送の受信時にハーモニックリジェクション構成を取りうる混合器７０を設ける事により、地上波テレビ放送の受信時に、スイッチング動作で発生するデジタルの矩形波である局部発振周波数信号に含まれてしまう３次、５次の高調波をキャンセルするためノイズ特性を劣化させることがない。また、衛星テレビ放送時には、４相信号をのみでミキサ動作させるため、ＰＬＬ−ＶＣＯ周波数を２倍にする必要が無く、電力削減が可能となる。
【００５５】
［フィルタ］ 
図６は、フィルタ８０の構成の一例を示す図である。フィルタ８０の入力部Ｆｉｎ１には、混合器７０からＩ信号の中間周波信号が入力され、フィルタ８０の入力部Ｆｉｎ２には、混合器７０からＱ信号の中間周波信号が入力される。
【００５６】
同図に示すフィルタ８０は、Ｉ信号を入力される第１のローパスフィルタとしてのフィルタ８１、Ｑ信号を入力される第２のローパスフィルタとしてのフィルタ８２、および、フィルタ８１とフィルタ８２間のベクトル加算のオン／オフを切り替える切替回路８３、を有する。
【００５７】
フィルタ８１は、ローパス機能を有する複数のフィルタ８１ａ〜８１ｃを多段に接続した構成である。これにより、中間周波信号に残る不要な高調波成分をカットする所望の周波数特性を実現することができる。
【００５８】
フィルタ８２も、ローパス機能を有する複数のフィルタ８２ａ〜８２ｃを多段に接続した構成である。これにより、中間周波信号に残る不要な高調波成分をカットする所望の周波数特性を実現することができる。
【００５９】
切替回路８３がオンになると、フィルタ８１ａとフィルタ８２ａが接続されて複素フィルタとして機能し、フィルタ８１ｂとフィルタ８２ｂが接続されて複素フィルタとして機能し、フィルタ８１ｃとフィルタ８２ｃが接続されて複素フィルタとして機能する。すなわち、バンドパスフィルタ構成が実現される。
【００６０】
これら複素フィルタは、本実施形態では後述するようにＢｉ−Ｑｕａｄ形式である。なお、本実施形態では、これらフィルタ８０をオペアンプとＲＣで構成されるアクティブフィルタ網としてあるが、トランスコンダクタンスアンプおよび容量で構成されるＧｍ−Ｃフィルタ網としてもよい。
【００６１】
切替回路８３がオフになると、フィルタ８１とフィルタ８２は、それぞれ多段に接続したローパスフィルタとして個別に機能する。すなわち、ローパスフィルタ構成が実現される。
【００６２】
本実施形態では、切替回路８３は、地上波テレビ放送受信時はオンに制御され、衛星テレビ放送受信時はオフに制御される。切替回路８３の制御は、例えば制御部６０が行う。
【００６３】
［具体的回路構成］ 
図７は、フィルタ８０の具体的な構成を示す図である。図７（ａ）には、フィルタ８０のうち、フィルタ８１ａとフィルタ８２ａ、および、切替回路８３のうち、これらフィルタ８１ａ，８２ａの間を接続する部位を示してある。
【００６４】
フィルタ８１ａは、第１演算増幅器ＯＰ１１と第２演算増幅器ＯＰ１２を備えた２次のローパスフィルタ−であり、フィルタ８２ａは、第３演算増幅器ＯＰ２１と第４演算増幅器ＯＰ２２を備えた２次のローパスフィルタ−である。
【００６５】
［第１演算増幅器］ 
第１演算増幅器ＯＰ１１は、反転入力部および非反転入力部にＩ信号の差動信号（Ｉ＿ｉｎ＿ｐ，Ｉ＿ｉｎ＿ｎ）が入力され、反転出力部および非反転出力部から差動信号（Ｉ＿ｍｉｄ＿ｐ，Ｉ＿ｍｉｄ＿ｎ）を出力する平衡増幅器である。
【００６６】
第１演算増幅器ＯＰ１１の入力路には、抵抗Ｒ１１，Ｒ１２がそれぞれ配設されている。第１演算増幅器ＯＰ１１の非反転入力部と反転出力部の間の帰還路には可変容量Ｃ１１が配設されている。第１演算増幅器ＯＰ１１の反転入力部と非反転出力部の間の帰還路には可変容量Ｃ１２が配設されている。
【００６７】
［第２演算増幅器］ 
第２演算増幅器ＯＰ１２は、反転入力部および非反転入力部に第１演算増幅器ＯＰ１１が出力する差動信号（Ｉ＿ｍｉｄ＿ｐ，Ｉ＿ｍｉｄ＿ｎ）が抵抗Ｒ１３，Ｒ１４を介して入力され、反転出力部および非反転出力部から差動信号（Ｉ＿ｏｕｔ＿ｐ，Ｉ＿ｏｕｔ＿ｎ）を出力する平衡増幅器である。
【００６８】
第２演算増幅器ＯＰ１２の非反転入力部と反転出力部の間の帰還路には可変容量Ｃ１３が配設されている。第２演算増幅器ＯＰ１２の反転入力部と非反転出力部の間の帰還路には可変容量Ｃ１４が配設されている。
【００６９】
［第３演算増幅器］ 
第３演算増幅器ＯＰ２１は、反転入力部および非反転入力部にＱ信号の差動信号（Ｑ＿ｉｎ＿ｐ，Ｑ＿ｉｎ＿ｎ）が入力され、反転出力部および非反転出力部から差動信号（Ｑ＿ｍｉｄ＿ｐ，Ｑ＿ｍｉｄ＿ｎ）を出力する平衡増幅器である。
【００７０】
第３演算増幅器ＯＰ２１の入力路には、抵抗Ｒ２１，Ｒ２２がそれぞれ配設されている。第３演算増幅器ＯＰ２１の非反転入力部と反転出力部の間の帰還路には可変容量Ｃ２１が配設されている。第３演算増幅器ＯＰ２１の反転入力部と非反転出力部の間の帰還路には可変容量Ｃ２２が配設されている。
【００７１】
［第４演算増幅器］ 
第４演算増幅器ＯＰ２２は、反転入力部および非反転入力部に第４演算増幅器ＯＰ２２が出力する差動信号（Ｑ＿ｍｉｄ＿ｐ，Ｑ＿ｍｉｄ＿ｎ）が抵抗Ｒ２３，Ｒ２４を介して入力され、反転出力部および非反転出力部から差動信号（Ｑ＿ｏｕｔ＿ｐ，Ｑ＿ｏｕｔ＿ｎ）を出力する平衡増幅器である。
【００７２】
第４演算増幅器ＯＰ２２の非反転入力部と反転出力部の間の帰還路には可変容量Ｃ２３が配設されている。第４演算増幅器ＯＰ２２の反転入力部と非反転出力部の間の帰還路には可変容量Ｃ２４が配設されている。
【００７３】
なお、可変容量Ｃ１１，Ｃ１２，Ｃ３１，Ｃ３２，Ｃ２１，Ｃ２２，Ｃ４１．Ｃ４２は、図８のような、コンデンサバンクの構成とすることができる。コンデンサバンクのスイッチは、例えば、制御部６０により、可変容量の容量値が受信チャンネルに応じた容量となるように制御される。コンデンサバンクのスイッチのオン数を適切に調整することにより、例えば、地上波テレビ放送の受信時と衛星テレビ放送の受信時とで受信周波数帯域幅を変更することが可能となる。また、例えば、衛星テレビ放送では各チャンネルで数ＭＨｚ〜数１０ＭＨｚの範囲で受信周波数帯域幅が異なるため、この周波数帯域幅の調整が可能となる。
【００７４】
［切替スイッチ］ 
第１演算増幅器ＯＰ１１の非反転入力端と第３演算増幅器ＯＰ２１の非反転出力端とは、直列接続された抵抗Ｒ３１とスイッチＳＷ１１を介して接続されている。第１演算増幅器ＯＰ１１の反転入力端と第３演算増幅器ＯＰ２１の反転出力端とは、直列接続された抵抗Ｒ３２とスイッチＳＷ１２を介して接続されている。
【００７５】
第２演算増幅器ＯＰ１２の非反転入力端と第４演算増幅器ＯＰ２２の非反転出力端とは、直列接続された抵抗Ｒ３６とスイッチＳＷ２２を介して接続されている。第２演算増幅器ＯＰ１２の反転入力端と第４演算増幅器ＯＰ２２の反転出力端とは、直列接続された抵抗Ｒ３５とスイッチＳＷ２１を介して接続されている。
【００７６】
第３演算増幅器ＯＰ２１の非反転入力端と第１演算増幅器ＯＰ１１の反転出力端とは、直列接続された抵抗Ｒ３４とスイッチＳＷ３２を介して接続されている。第３演算増幅器ＯＰ２１の反転入力端と第１演算増幅器ＯＰ１１の非反転出力端とは、直列接続された抵抗Ｒ３３とスイッチＳＷ３１を介して接続されている。
【００７７】
第４演算増幅器ＯＰ２２の非反転入力端と第２演算増幅器ＯＰ１２の反転出力端とは、直列接続された抵抗Ｒ３７とスイッチＳＷ４１を介して接続されている。第４演算増幅器ＯＰ２２の反転入力端と第２演算増幅器ＯＰ１２の非反転出力端とは、直列接続された抵抗Ｒ３８とスイッチＳＷ４２を介して接続されている。
【００７８】
スイッチＳＷ１１，Ｓｗ１２，ＳＷ２１，ＳＷ２２，ＳＷ３１，ＳＷ３２，ＳＷ４２，ＳＷ４２は、例えば、制御部６０からの制御信号によりオン／オフ制御される。
【００７９】
［スイッチオフ時のフィルタ部の動作］ 
図７（ｂ）に示すように、衛星テレビ放送受信時は、スイッチＳＷ１１，Ｓｗ１２，ＳＷ２１，ＳＷ２２，ＳＷ３１，ＳＷ３２，ＳＷ４２，ＳＷ４２がオフに制御されるため、フィルタ８１ａ，８２ａはＢｉ−Ｑｕａｄ形式のフィルタとして機能する。
【００８０】
このとき、フィルタ８１ａ，８２ａにおけるＩ信号およびＱ信号の伝達関数Ｔ（ｓ）、ゲインＧ、中心角周波数ω０、およびＱ値Ｑは、下記（１ａ）〜（１ｄ）式で表される。ｓは＝ｊωであり、ωは角周波数である。
【００８１】
なお、抵抗Ｒ１１，Ｒ１２，Ｒ２１，Ｒ２２の抵抗値はＲ１とし、抵抗Ｒ１３，Ｒ１４，Ｒ２３．Ｒ２４の抵抗値はＲ２とし、抵抗Ｒ１５，Ｒ１６，Ｒ２５，Ｒ２６の抵抗値はＲ３とし、抵抗Ｒ１７，Ｒ１８，Ｒ２７，Ｒ２８の抵抗値はＲ４とし、抵抗Ｒ３１〜Ｒ３８の抵抗値はＲｆとする。また、可変容量Ｃ１１，Ｃ１２，Ｃ３１，Ｃ３２の容量値はＣ１とし、可変容量Ｃ２１，Ｃ２２，Ｃ４１．Ｃ４２の容量値はＣ２とする。なお、下記（１ａ）〜（１ｄ）式では、Ｃ１＝Ｃ２＝Ｃ０としてある。
【００８２】
【数１】
2015167324.tif 000003
【００８３】
［スイッチオン時のフィルタ部の動作］ 
図７（ｂ）に示すように、地上波テレビ放送受信時は、スイッチＳＷ１１，Ｓｗ１２，ＳＷ２１，ＳＷ２２，ＳＷ３１，ＳＷ３２，ＳＷ４２，ＳＷ４２がオンに制御される。従って、第３演算増幅器ＯＰ２１の出力が抵抗Ｒ３１，Ｒ３２とスイッチＳＷ１１，ＳＷ１２とを介して第１演算増幅器ＯＰ１１の入力へと電流帰還され、第１演算増幅器ＯＰ１１の出力が抵抗Ｒ３３，Ｒ３４とスイッチＳＷ３１，ＳＷ３２とを介して第３演算増幅器ＯＰ２１の入力へと電流帰還され、第４演算増幅器ＯＰ２２の出力が抵抗Ｒ３５，Ｒ３６とスイッチＳＷ２１，ＳＷ２２とを介して第２演算増幅器ＯＰ１２の入力へと電流帰還され、第２演算増幅器ＯＰ１２の出力が抵抗Ｒ３７，Ｒ３８とスイッチＳＷ４１，Ｓｗ４２とを介して第４演算増幅器ＯＰ２２の入力へと電流帰還される。すなわち、フィルタ８１ａ，８２ａは、Ｌｏｗ−ＩＦ方式の帯域特性を有する複素フィルタとして機能する。
【００８４】
このとき、フィルタ８１ａ，８２ａにおけるＩ信号およびＱ信号の伝達関数Ｔ（ｊω）、ゲインＧ、中心角周波数ω０２、周波数ωｆ、およびＱ値Ｑは、下記（２ａ）〜（２ｅ）式で表される。なお、下記（２ａ）〜（２ｅ）式では、Ｃ１＝Ｃ２＝Ｃ０としてある。
【００８５】
【数２】
2015167324.tif 000004
【００８６】
図９は、フィルタ８１ａ，８２ａの周波数特性を示す図である。図９（ａ）はスイッチオフ時（衛星テレビ放送受信時）の周波数特性であり、図９（ｂ）はスイッチオン時（地上波テレビ放送受信時）の周波数特性である。
【００８７】
図９（ａ）に示すように、衛星テレビ放送受信時は、中心角周波数がω０のローパスフィルタとして機能し、地上波テレビ放送受信時は、フィルタ８１ａ，８２ａは、中心角周波数がω０からωｆだけシフトしたバンドパスフィルタとして機能する。
【００８８】
［フィルタの他の構成例］ 
図１０は、フィルタ８０の他の具体的な構成例を示す図である。図１０（ａ）に示すフィルタ８１ａ’，８２ａ’は、基本的には上述したフィルタ８１ａ，８２ａおよび対応する切替回路８３と同様の構成であるが、Ｉ信号の差動信号（Ｉ＿ｉｎ＿ｐ，Ｉ＿ｉｎ＿ｎ）の入力先を第１演算増幅器ＯＰ１１と第２演算増幅器ＯＰ１２とで切り替えるスイッチＳＷ５１と、Ｑ信号の差動信号（Ｑ＿ｉｎ＿ｐ，Ｑ＿ｉｎ＿ｎ）の入力先を第３演算増幅器ＯＰ２１と第４演算増幅器ＯＰ２２とで切り替えるスイッチＳＷ５２と、を設けた点で相違する。スイッチＳＷ５１，Ｓｗ４２は、制御部６０により制御される。
【００８９】
地上波テレビ放送受信時は、図１０（ｂ）に示すスイッチＳＷ５１，ＳＷ５２の切替えにより（スイッチＳＷ５１−ａ，ＳＷ５２−ａをオフ、スイッチＳＷ５１−ｂ，ＳＷ５２−ｂをオン）、上述した図７に示すフィルタ８０と同様の構成が実現される。
【００９０】
一方、衛星テレビ放送受信時は、図１０（ｂ）に示すスイッチＳＷ５１，ＳＷ５２の切替えにより（スイッチＳＷ５１−ａ，ＳＷ５２−ａをオン、スイッチＳＷ５１−ｂ，ＳＷ５２−ｂをオフ）、差動信号（Ｉ＿ｉｎ＿ｐ，Ｉ＿ｉｎ＿ｎ）は第２演算増幅器ＯＰ１２へ抵抗Ｒ１０１および抵抗Ｒ１０２を介して入力され、差動信号（Ｑ＿ｉｎ＿ｐ，Ｑ＿ｉｎ＿ｎ）は第４演算増幅器ＯＰ２２へ抵抗Ｒ２０１および抵抗Ｒ２０２を介して入力される。すなわち、フィルタ８１ａ’，８２ａ’は１次のローパスフィルタとして動作する。
【００９１】
その一方で、第２演算増幅器ＯＰ１２の出力は、抵抗Ｒ１７および抵抗Ｒ１８を介して第１演算増幅器ＯＰ１１の入力へ正負反転させてフィードバックされ、第４演算増幅器ＯＰ２２の出力は抵抗Ｒ２７および抵抗Ｒ２８を介して第３演算増幅器ＯＰ２１の入力へ正負反転させてフィードバックされる。
【００９２】
このとき、抵抗Ｒ１７および容量Ｃ１並びに抵抗Ｒ１８および容量Ｃ１２がローパスフィルタとして機能するため、第１演算増幅器ＯＰ１１は、第２演算増幅器ＯＰ１２の出力のうちＤＣ成分に近い一定分のみを反転増幅して第２演算増幅器ＯＰ１２へ抵抗Ｒ１３および抵抗Ｒ１４を介して入力することになる。
【００９３】
また、抵抗Ｒ２７および抵抗Ｒ２８がローパスフィルタとして機能するため、第３演算増幅器ＯＰ２１は、第４演算増幅器ＯＰ２２の出力のうちＤＣ成分に近い一定分のみを反転増幅して第４演算増幅器ＯＰ２２へ抵抗Ｒ２３および抵抗Ｒ２４を介して反転入力することになる。
【００９４】
これにより、第２演算増幅器ＯＰ１２が出力する正側差動信号のベース電圧が高電圧側にオフセットし、負側差動信号のベース電圧が低電圧側にオフセットすると、第２演算増幅器ＯＰ１２の入力が逆に動くので、正側差動信号と負側差動信号が揃うような帰還がかかり、第２演算増幅器ＯＰ１２のＤＣ成分がキャンセルされる。
【００９５】
同様に、第４演算増幅器ＯＰ２２が出力する正側差動信号のベース電圧が高電圧側にオフセットし、負側差動信号のベース電圧が低電圧側にオフセットすると、第４演算増幅器ＯＰ２２の入力が逆に動くので、正側差動信号と負側差動信号が揃うような帰還がかかり、第４演算増幅器ＯＰ２２のＤＣ成分がキャンセルされる。
【００９６】
このときの伝達関数Ｔ（ｓ）、ゲインＧ、中心隔週波数ωｃは、下記（３ａ）〜（３ｅ）式により表される。また、このときの時定数およびＤＣオフセットキャンセル上限周波数ωｈｐは、下記（４ａ），（４ｂ）式により表され、ωｈｐ以下の低域成分が除去される。
【００９７】
【数３】
2015167324.tif 000005
【００９８】
【数４】
2015167324.tif 000006
【００９９】
以上説明したように、フィルタ８０を用いることにより、地上波テレビ放送受信用と衛星テレビ放送受信用とで共有化したフィルタの中で、更にＤＣオフセットキャンセル機能を実現することができる。従って、レイアウト面積を増加する事無く、ＺＥＲＯ−ＩＦ受信時にＬＯ信号の周波数とＲＦ信号の周波数との一致に伴い発生するＤＣオフセットが抑制され、信号振幅の加減又は上限が制限されて歪み特性が劣化するという問題を防止できる。
【０１００】
なお、本技術は上述した実施形態に限られず、上述した実施形態の中で開示した各構成を相互に置換したり組み合わせを変更したりした構成、公知技術並びに上述した実施形態の中で開示した各構成を相互に置換したり組み合わせを変更したりした構成、等も含まれる。また，本技術の技術的範囲は上述した実施形態に限定されず，特許請求の範囲に記載された事項とその均等物まで及ぶものである。
【０１０１】
そして、本技術は、以下の（１）〜（１０）の構成を取ることもできる。
【０１０２】
（１）
第１周波数帯域の第１信号を受信する第１受信部と、
第１周波数帯域とは異なる第２周波数帯域の第２信号を受信する第２受信部と、
を備え、
受信信号から特定チャンネルの信号を中間周波信号として抽出するための構成であって、前記受信信号から前記中間周波信号が抽出されるまでの信号パスの構成要素の少なくとも一部を、前記第１信号に係る前記信号パスと前記第２信号に係る前記信号パスとで共有化した、受信装置。
【０１０３】
（２）
共有化する前記構成要素は、局部発振周波数信号を前記第１の信号又は前記第２の信号と混合して中間周波信号を生成する混合器である、前記（１）に記載の受信装置。
【０１０４】
（３）
前記混合器は、ハーモニックリジェクション構成であり、
局部発振器は、前記第１信号の処理時と前記第２信号の処理時とで位相のズレ量が異なる局部発振信号を前記混合器へ入力する、前記（２）に記載の受信装置。
【０１０５】
（４）
前記第１信号は、地上波テレビ放送信号であり、
前記第２信号は、衛星テレビ放送信号であり、
前記局部発振器は、前記第１信号の処理時は４５°ずつ位相をずらして生成された局部発振信号を前記混合器へ入力し、前記第２信号の処理時は９０°ずつ位相をずらして生成された生成された局部発振信号を前記混合器へ入力する、前記（３）に記載の受信装置。
【０１０６】
（５）
共有化する前記構成要素は、前記中間周波信号の前記第１の周波数帯域又は前記第２の周波数帯域に対応する周波数信号を選択的に通過させるフィルタ回路である、前記（１）〜前記（４）の何れか１項に記載の受信装置。
【０１０７】
（６）
前記フィルタは、ローパスフィルタ構成とバンドパスフィルタ構成とを切り替えて実現可能である、前記（５）に記載の受信装置。
【０１０８】
（７）
前記第１信号は、地上波テレビ放送信号であり、
前記第２信号は、衛星テレビ放送信号であり、
前記フィルタは、前記第１信号の処理時はバンドパスフィルタ構成を実現し、前記第２信号の処理時はローパスフィルタ構成を実現する、前記（５）又は前記（６）に記載の受信装置。
【０１０９】
（８）
前記フィルタは、Ｉ信号が入力される第１のローパスフィルタおよびＱ信号が入力される第２のローパスフィルタを有し、前記第１信号の処理時は、前記第１のローパスフィルタを通過後のＩ信号を前記第２のローパスフィルタへ入力するとともに前記第２のローパスフィルタを通過後のＱ信号を前記第１のローパスフィルタへ入力する複素フィルタ構成である、前記（５）〜前記（７）の何れか１項に記載の受信装置。
【０１１０】
（９）
前記第１のローパスフィルタおよび前記第２のローパスフィルタは、演算増幅器の帰還路に可変容量を配設した構成である、請求項８に記載の受信装置。
【０１１１】
（１０）
第１周波数帯域の第１信号を受信する第１受信部と、
第１周波数帯域とは異なる第２周波数帯域の第２信号を受信する第２受信部と、
を備え、
受信信号から特定チャンネルの信号を中間周波信号として抽出するための構成であって、前記受信信号から前記中間周波信号が抽出されるまでの信号パスの構成要素の少なくとも一部を、前記第１信号に係る前記信号パスと前記第２信号に係る前記信号パスとで共有化した、チューナー。
【０１１２】
（１１）
第１周波数帯域の第１信号を受信する第１受信部と、
第１周波数帯域とは異なる第２周波数帯域の第２信号を受信する第２受信部と、
を備え、
受信信号から特定チャンネルの信号を中間周波信号として抽出するための構成であって、前記受信信号から前記中間周波信号が抽出されるまでの信号パスの構成要素の少なくとも一部を、前記第１信号に係る前記信号パスと前記第２信号に係る前記信号パスとで共有化した、回路。
【符号の説明】
【０１１３】
１０…第１受信部、１１…第１ローノイズアンプ、１２…第１ＲＦ可変増幅器、１３…第１ＩＦ可変増幅器、２０…第２受信部、２１…第２ローノイズアンプ、２２…第２ＲＦ可変増幅器、２３…第２ＩＦ可変増幅器、３０…基準発振信号生成部、４０…第１ローカル発振信号生成部、５０…第２ローカル発振信号生成部、６０…制御部、７０…混合器、７１〜７３…電圧電流変換回路、７４〜７６…スイッチ回路、７７…電流電圧変換回路、８０…フィルタ、８１…フィルタ、８１ａ〜８１ｃ…フィルタ、８２…フィルタ、８２ａ〜８２ｃ…フィルタ、８３…切替回路、１００…チューナー
【図１】
2015167324.tif 000007
【図２】
2015167324.tif 000008
【図３】
2015167324.tif 000009
【図４】
2015167324.tif 000010
【図５】
2015167324.tif 000011
【図６】
2015167324.tif 000012
【図７】
2015167324.tif 000013
【図８】
2015167324.tif 000014
【図９】
2015167324.tif 000015
【図１０】
2015167324.tif 000016